(57)【要約】【課題】  この考案は、被把持対象としてのサンドイッチを、繰り返し把持して袋詰めをしたとしても、作業者の手が疲れにくいように配慮したサンドイッチトングを提供することを目的とする。【解決手段】  この考案に係るサンドイッチトングは、サンドイッチを両側から挟みこむように把持する一対の把持片と、夫々の把持片に一端で一体的に連接され、作業者の手により握られる握りステムと、両握りステムの他端に両端が夫々一体的に連接され、把持片の間の間隔を可変とする可動許容部とを具備し、少なくとも可動許容部は、両把持片が前記サンドイッチの両側面から所定距離だけ離間した状態に形状記憶された形状記憶合金から成形されていることを特徴としている。【選択図】図１
0003206903.tif 000002
【実用新案登録請求の範囲】
【請求項１】
被把持対象としてのサンドイッチを挟み込んで包装用袋に入れ込むためのサンドイッチトングであって、
前記サンドイッチを両側から挟みこむように把持する一対の把持片と、
夫々の把持片に一端で一体的に連接され、作業者の手により握られる握りステムと、
両握りステムの他端に両端が夫々一体的に連接され、前記把持片の間の間隔を可変とする可動許容部とを具備し、
少なくとも可動許容部は、両把持片が前記サンドイッチの両側面から所定距離だけ離間した状態に形状記憶された形状記憶合金から形成されていることを特徴とするサンドイッチトング。
【請求項２】
前記形状記憶合金は、ニッケル・チタン（Ｎｉ−Ｔｉ）合金であることを特徴とする請求項１に記載のサンドイッチトング。
【請求項３】
前記把持片と握りステムと可動許容部とは、前記形状記憶合金から一体的に成形されていることを特徴とする請求項１又は２に記載のサンドイッチトング。
【請求項４】
前記可動許容部は、円弧状に形成されていることを特徴とする請求項１に記載のサンドイッチトング。
【請求項５】
前記把持片と握りステムとは、リジッドに形成されていることを特徴とする請求項４に記載のサンドイッチトング。
【請求項６】
前記把持片には、複数の開口が厚さ方向に貫通した状態で形成されていることを特徴とする請求項１に記載のサンドイッチトング。
【請求項７】
前記把持片は、正面視で直角三角形状を呈するように形成されていることを特徴とする請求項１に記載のサンドイッチトング。
【考案の詳細な説明】
【技術分野】
【０００１】  この考案は、被把持対象としてのサンドイッチを挟み込んで包装用袋に入れ込むためのサンドイッチトングに関する。
【背景技術】
【０００２】  従来、被把持対象としてのサンドイッチを挟み込んで包装用袋に入れ込むためのサンドイッチトングは、実際に食品加工工場（サンドイッチ製造工場）において普通に用いられている。ここで、実際に食品加工工場（サンドイッチ製造工場）において用いられているサンドイッチトングは、サンドイッチを両側から挟みこむように把持する一対の把持片と、夫々の把持片に一端で一体的に連接され、作業者の手により握られる握りステムとを備えるものであり、両握りステムの他端には両端が夫々一体的に弾性変形許容部が連接されている。この弾性変形許容部は、何ら外力が作用しない状態において、両把持片が対応するサンドイッチの側面から離間する姿勢を保持すると共に、握りステムが作業者の手により握られると、自身の弾性力に抗して把持片が互いに近接してサンドイッチを両側から挟みこむ状態で把持することができるように構成されている。【０００３】  また、上述したサンドイッチトングを開示する公知技術として例えば特許文献１に示すサンドイッチ用トングがある。このサンドイッチ用トングによれば、被包装物たる直角三角形サンドイッチの商品価値を損なわずに、袋包装作業の効率化を図ることができるトングを提供することができるものである。
【先行技術文献】
【特許文献】
【０００４】
【特許文献１】  登録実用新案公報  第３０４４５１５号
【考案の概要】
【考案が解決しようとする課題】
【０００５】  ここで、この特許文献１においては、「開閉操作部１０は、一つの板状体を折り曲げ加工等によって平面略Ｕ字形に成形し、この折り曲げ部を連結部として作用させることにより、一対の操作辺１１のフリー端１１ａ、１１ａを相互に接近させると該一対の操作辺１１、１１が離間する方向への弾性力が生じるように構成されている」と記載されているように、サンドイッチを把持するためには、連結部に発生する弾性力に抗する力を作業者が発揮しなければならないことになる。【０００６】  このように、特許文献１に代表されるような従来のサンドイッチトングにおいては、サンドイッチの把持のために、作業者は弾性力に抗した力を手に繰り返し発生させなければならず、作業者の疲労はもとより、最悪のケースにおいては、腱鞘炎等の労災の問題を引き起こす可能性もあり、改善が強く要望されていた。【０００７】  この考案は、上記事情に鑑みなされたもので、この考案の目的は、被把持対象としてのサンドイッチを、繰り返し把持して袋詰めをしたとしても、作業者の手が疲れにくいように配慮したサンドイッチトングを提供することである。
【課題を解決するための手段】
【０００８】  上述した課題を解決し目的を達成するために、この考案に係わるサンドイッチトングは、請求項１の記載によれば、被把持対象としてのサンドイッチを挟み込んで包装用袋に入れ込むためのサンドイッチトングであって、前記サンドイッチを両側から挟みこむように把持する一対の把持片と、夫々の把持片に一端で一体的に連接され、作業者の手により握られる握りステムと、両握りステムの他端に両端が夫々一体的に連接され、前記把持片の間の間隔を可変とする可動許容部とを具備し、少なくとも可動許容部は、両把持片が前記サンドイッチの両側面から所定距離だけ離間した状態に形状記憶された形状記憶合金から形成されていることを特徴としている。【０００９】  このように請求項１に記載のサンドイッチトングを構成することにより、被把持対象としてのサンドイッチを、繰り返し把持して袋詰めをしたとしても、作業者は弾性力に抗して握りステムを握り込む必要がないので、作業者の手が疲れにくいように配慮したサンドイッチトングが提供されることになる。【００１０】  また、この考案に係わるサンドイッチトングは、請求項２の記載によれば、前記形状記憶合金は、ニッケル・チタン（Ｎｉ−Ｔｉ）合金であることを特徴としている。【００１１】  このように請求項２に記載のサンドイッチトングを構成することにより、より確実に形状記憶能力を発揮する材料を用いて、所期の目的を達成することができることになる。【００１２】  また、この考案に係わるサンドイッチトングは、請求項３の記載によれば、前記把持片と握りステムと可動許容部とは、前記形状記憶合金から一体的に成形されていることを特徴としている。【００１３】  このように請求項３に記載のサンドイッチトングを構成することにより、サンドイッチトングは継ぎ目のない一体構造となり、洗浄作業が簡易化且つ確実に行い得ることになる。【００１４】  また、この考案に係わるサンドイッチトングは、請求項４の記載によれば、前記可動許容部は、円弧状に形成されていることを特徴としている。【００１５】  このように請求項４に記載のサンドイッチトングを構成することにより、前記可動許容部は、弾性的挙動を発揮できるようになり、作業者が握りステムへの握り込みを解除した時点で、元の形状記憶された形状に形状復帰するのがスピーディーに行われ得ることになる。【００１６】  また、この発明に係わるサンドイッチトングは、請求項５の記載によれば、前記把持片と握りステムとは、リジッドに形成されていることを特徴としている。【００１７】  このように請求項５に記載のサンドイッチトングを構成することにより、サンドイッチの把持時に把持片や握りステムが変形することがないので、より確実にサンドイッチを把持することができることになる。【００１８】  また、この発明に係わるサンドイッチトングは、請求項６の記載によれば、前記把持片には、複数の開口が厚さ方向に貫通した状態で形成されていることを特徴としている。【００１９】  このように請求項６に記載のサンドイッチトングを構成することにより、把持片の軽量化を図ることができ、作業者のサンドイッチトングを扱う力が少なくて済み、作業効率が向上すると共に、作業者の負担も大幅に軽減されることになる。【００２０】  また、この発明に係わるサンドイッチトングは、請求項７の記載によれば、前記把持片は、正面視で直角三角形状を呈するように形成されていることを特徴としている。【００２１】  このように請求項７に記載のサンドイッチトングを構成することにより、把持対象としての三角形状サンドイッチをより確実に且つ容易に把持することができることになる。
【考案の効果】
【００２２】  以上説明したように、この考案によれば、被把持対象としてのサンドイッチを、繰り返し把持して袋詰めをしたとしても、作業者の手が疲れにくいように配慮したサンドイッチトングが提供されることになる。
【図面の簡単な説明】
【００２３】
【図１】  この考案に係わる一実施例の構成のサンドイッチトングの全体構造を概略的に示す斜視図である。
【図２】  図１に示すサンドイッチトングを、被把持対象としてのサンドイッチを把持する直前の状態で示す上面図である。
【図３】  図１に示すサンドイッチトングを、把持対象としてのサンドイッチを把持する状態で示す上面図である。
【図４】  この考案に係わる一実施例のサンドイッチトングの把持片の変形例に係わる構造を示す正面図である。
【考案を実施するための形態】
【００２４】  以下に、本考案に係わるサンドイッチトングの実施の形態について、添付図面を用いて詳細に説明する。
【００２５】  図１乃至図３は、この実施形態のサンドイッチトング１０の構造を示す図面である。図１に示すように、サンドイッチトング１０は、被把持対象としてのサンドイッチＸを両側から挟みこむように把持する一対の把持片１２を備えている。各把持片１２は、後ろ側（即ち、サンドイッチＸを袋詰めする際のサンドイッチＸの挿入方向に関して後方）の起立した側縁は、内側に向けて直角に折り曲げており、これにより折り曲げ片１２Ａが規定されている。
【００２６】  そして、各把持片１２の折り曲げ片１２Ａの高さ方向略中間部には、後方に向けて延出する握りステム１４の先端（一旦）が一体的に連結されている。この実施例では、作業者が両握りステム１４を互いに近接する方向に握り込むことにより、これに連接された把持片１２が互いに近接する方向に移動するように設定されている。
【００２７】  一方、各握りステム１４の後端（他端）には、可動許容部１６の両端が夫々一体的に連接されている。この可動許容部１６は、把持片１２の間の間隔を可変とするためのもので、この実施例では、少なくとも可動許容部１６は、図２に示すように、両把持片１２がサンドイッチＸの両側面から所定距離だけ離間（開いた）した状態に形状記憶された形状記憶合金から形成されている。より具体的には、この形状記憶合金は、この実施例では、ニッケル・チタン（Ｎｉ−Ｔｉ）合金から規定されている。尚、この実施例では、サンドイッチトング１０全体としてニッケル・チタン合金からなる板材から一体に折り曲げ形成されているものであるが、可動許容部１６のみが、上述したように、形状記憶される処理がなされているものである。
【００２８】  また、上述した可動許容部１６は、この実施例では、円弧状に形成されている。これにより、可動許容部１６は、弾性的挙動を発揮できるようになり、作業者が握りステム１４への握り込みを解除した時点で、元の形状記憶された形状に形状復帰するのがスピーディーに行われ得ることになると共に、作業者への力の負担を軽減させる効果を得ることができるものである。
【００２９】  一方、把持片１２と握りステム１４とは、曲がり難くリジッドに形成されている。これにより、サンドイッチＸの把持時に把持片１２や握りステム１４が変形することがないので、より確実にサンドイッチＸを把持することができることになる。尚、把持片１２は、図４に示すように、正面視で直角三角形状を呈するように形成されている。これにより、把持対象としての三角形状サンドイッチＸをより確実に且つ容易に把持することができることになる。
【００３０】  以上のように構成されるサンドイッチトング１０を用いて、サンドイッチＸを包装用の袋（図示せず）に入れ込む際の動作について、図２及び図３を参照して説明する。
【００３１】  先ず、このサンドイッチトング１０は、これに何らの外力が作用しない状態においては、図２に示すように、両把持片１２は、先端がある程度開いた状態でその姿勢を形状記憶されている。この状態から、サンドイッチＸを把持して包装用の袋の中に入れ込む作業を行う場合には、先ず、サンドイッチトング１０を、図２に示すように、これの把持片１２がサンドイッチＸの両側に位置するように移動する。そして、作業者はサンドイッチトング１０の握りステム１４を握り込んで、両者を近接させる。これにより、把持片１２は、図３に示すように、サンドイッチＸの両側面を挟み込むように把持する状況となる。
【００３２】  ここで、この考案の特徴となる点であるが、作業者がサンドイッチトング１０の握りステム１４を握り込んで両者を近接するように移動させる際において、サンドイッチトング１０は、単に可動許容部１６が形状記憶された状態で図２に示す状態を維持しているものであるため、この図２に示す状態から図３に示す状態への変化に際して、別段、弾性力に抗した動きとなるものではないため、その力は僅かなもので済み、作業者の負荷は大幅に軽減されるものである。
【００３３】  とは言え、ニッケル・チタン合金も金属であり、ある程度の変形までは、弾性復帰力が発揮されるものであるが、これは、従前のばね力が発揮される状況から比較すれば、格段と弱いものとなっていることは言うまでもない。逆に、この弾性復帰力は、図３に示す把持状態からサンドイッチＸの袋詰め作業が完了して、サンドイッチトング１０のみを袋から取り出し、作業者が一連の袋詰め作業を完了する状態において、一旦、握りステム１４を握り込む力を抜く状況において、可動許容部１６が形状記憶された図２に示す姿勢に復帰する際の復帰を助力する力として作用することになるものである。
【００３４】  以上詳述したように、この実施例によれば、サンドイッチトング１０を用いてサンドイッチＸを把持するに際して、図２に示す状態から図３に示す状態まで作業者が握りステム１４を握り込む際において、図２に示す姿勢は、可動許容部１６が単に形状記憶されているだけの状態であるため、図３に示す姿勢にもたらすための作業者における力は、ほんの僅かなもので済み、作業者の負荷は大幅に軽減されると共に、作業者の手が腱鞘炎等により傷つけられることが可及的に防止されることとなり、労災の観点からも効果が発揮できるものである。
【００３５】  また、図３に示す状態から、袋詰め作業が終了して、作業者がサンドイッチトング１０を袋から出した状態で、握りステム１４への握り力を解除すると、サンドイッチトング１０は可動許容部１６自身の形状記憶された図２に示す姿勢まで自動的に復帰することとなり、作業者は次のサンドイッチＸの袋付け作業に備えることができることになる。
【００３６】  この考案は、上述した構成に限定されることなく、この考案の要旨を逸脱しない範囲で種々変形可能であることは言うまでもない。
【００３７】  例えば、上述した実施例においては、把持片１２は、プレーンな板材から形成されるように説明したが、この考案は、このような構成に限定されることなく、図４に変形例として示すように、把持片１２には、複数の開口１８が厚さ方向に貫通した状態で形成されているようにしても良いことは言うまでもない。このように変形例を構成することにより、把持片１２の軽量化を図ることができ、作業者のサンドイッチトングを扱う力が少なくて済み、作業効率が向上すると共に、作業者の負担も大幅に軽減されることになる。
【００３８】  また、上述した実施例においては、把持片１２は、直角三角形状に形成されるように説明したが、これは、把持対象としてのサンドイッチＸが三角形状を呈していることに対応した構成であって、例えば、把持対象としてのサンドイッチが直方体形状である場合には、把持片１２は長方形状に形成されるようにしても良いことは言うまでもない。
【産業上の利用可能性】
【００３９】  以上詳述したように、この考案に係わるサンドイッチトングを用いることにより、被把持対象としてのサンドイッチを、繰り返し把持して袋詰めをしたとしても、作業者の手が疲れにくいように配慮したサンドイッチトングが提供されることになり、サンドイッチを袋詰めする作業の効率化を図ることができることになる。
【符号の説明】
【００４０】１０    サンドイッチトング
１２    把持片
１２Ａ    折り曲げ片
１４    握りステム
１６    可動許容部
１８    開口
Ｘ    サンドイッチ
【図１】
0003206903.tif 000003
【図２】
0003206903.tif 000004
【図３】
0003206903.tif 000005
【図４】
0003206903.tif 000006